(57)【特許請求の範囲】
【請求項１】
被包装物を収容可能な箱体を有し、
前記箱体は、第１面と、前記第１面に対して隣接している第２面と、を有し、
前記第１面は、前記第２面との境界線をなしている第１縁辺と、前記第１縁辺の一端に繋がっている第２縁辺と、前記第１縁辺の他端に繋がっている第３縁辺と、を有し、
前記箱体は、前記第２縁辺に沿って形成されて前記第２面に達している第１分離予定部と、前記第３縁辺に沿って形成されて前記第２面に達している第２分離予定部と、前記第２面に形成されている第３分離予定部と、を含み、
前記箱体が前記第１分離予定部及び前記第２分離予定部の各々に沿って分離されることにより、前記箱体が前記第３分離予定部においても分離され、前記箱体において少なくとも前記第１分離予定部と前記第２分離予定部とに挟まれていた部位が、前記箱体における他の部分から分離して分離片となるように構成され、
前記分離片が分離した状態では前記第２面側から前記被包装物を取り出し可能に当該第２面が開放するように構成され、
前記箱体において前記分離片となる部位の内面には情報表示が付されている包装箱。
【請求項２】
前記分離片は、前記第２面の少なくとも一部分を含む請求項１に記載の包装箱。
【請求項３】
前記第１分離予定部は第１ミシン目からなり、
前記第２分離予定部は第２ミシン目からなる請求項１又は２に記載の包装箱。
【請求項４】
前記第１ミシン目における前記第２面側とは反対側の端部は、前記第２面側に向けて徐々に前記第２縁辺に近づくように傾斜しており、
前記第２ミシン目における前記第２面側とは反対側の端部は、前記第２面側に向けて徐々に前記第３縁辺に近づくように傾斜している請求項３に記載の包装箱。
【請求項５】
前記第１ミシン目の前記端部が前記第２縁辺に近づく程度が、前記第２面側に向けて徐々に増しており、
前記第２ミシン目の前記端部が前記第３縁辺に近づく程度が、前記第２面側に向けて徐々に増している請求項４に記載の包装箱。
【請求項６】
前記情報表示は、少なくとも前記第１ミシン目の前記端部と前記第２ミシン目の前記端部とに挟まれた領域に付されている請求項４又は５に記載の包装箱。
【請求項７】
前記箱体は、直方体形状をなし、
前記第１面は前記第２面よりも大きく、
前記箱体は、
前記第１面に対して対向している第３面と、
前記第２縁辺を境界線として前記第１面に対して隣接し、且つ、前記第１面、前記第２面及び前記第３面に対してそれぞれ直交している第４面と、
前記第３縁辺を境界線として前記第１面に対して隣接し、前記第１面、前記第２面及び前記第３面に対してそれぞれ直交し、且つ、前記第４面に対して対向している第５面と、
を有し、
前記第２面は、前記第１面に連接され且つ前記第１面に対して折り曲げられている第１片と、前記第３面に連接され且つ前記第３面に対して折り曲げられている第２片と、前記第４面に連接され且つ前記第４面に対して折り曲げられている第３片と、前記第５面に連接され且つ前記第５面に対して折り曲げられている第４片と、を相互に係合させることにより、これら第１乃至第４片により構成され、
前記第１片と前記第２片とのうちの何れか一方は、何れか他方の内側に差し込まれることによって何れか他方に対して係合している差込片を有し、
前記第１片と前記第２片との係合部によって前記第３分離予定部が構成されている請求項１乃至６の何れか一項に記載の包装箱。
【請求項８】
前記第２片が前記差込片を有し、
前記第１片は、
前記第３片の内側に位置していて前記第３片に対して係合している第２差込片と、
前記第４片の内側に位置していて前記第４片に対して係合している第３差込片と、
を有し、
前記第２差込片及び前記第３差込片は、それぞれ前記第１面側から前記第３面側に向けて直線状に延びている請求項７に記載の包装箱。
【請求項９】
前記第１片が前記差込片を有し、
前記差込片は、前記第１面側から前記第３面側に向けて直線状に延びている請求項７に記載の包装箱。
【請求項１０】
請求項１乃至９の何れか一項に記載の包装箱と、
前記箱体の内部に収容されている被包装物と、
を備える包装商品。
【発明の詳細な説明】
【技術分野】
【０００１】
本発明は、包装箱及び包装商品に関する。
【背景技術】
【０００２】
包装箱には、内容物とともに、包装箱とは別体の説明書が同梱されることが多いが、その場合は、材料が増えるとともに、コスト高を招く。
【０００３】
そこで、包装箱自体に説明書きを記載することも行われている。
そのような包装箱としては、特許文献１に記載のものがある。
特許文献１に記載の包装箱は、包装箱の正面の一辺に対してヒンジにより連接されていて正面を覆う表示片を有している。そして、包装箱の正面において、表示片に覆われている部位には、包装箱を開封するための第１切取線が形成されている。このため、包装箱を開封して被包装物を取り出すためには、ヒンジを支点として表示片を揺動させることにより該表示片を正面から持ち上げて正面を露出させた後、第１切取線を切断する必要がある。
ここで、表示片の内面には、被包装物に関する情報が記載されている。このため、被包装物の取り出し前に表示片を持ち上げた際に、被包装物に関する情報が使用者に提示され得るようになっている。
なお、表示片におけるヒンジ側とは反対側の端部は包装箱の側面に対して固定されており、表示片を正面から持ち上げるためには、第２切断線を切断して表示片を側面から分離させる必要があるようになっている。
つまり、特許文献１の技術において、被包装物を取り出すための開封動作は、第２切断線を切断する動作と、表示片を持ち上げる動作と、第１切断線を切断する動作と、を含む。
【０００４】
また、特許文献２に記載された技術では、包装箱の箱本体とは別体の付属体が、箱本体に対して組み付けられているとともに、当該付属体の一部分が包装箱の外蓋を構成しており、外蓋を開けることにより付属体が箱本体から分離可能となる。
箱本体に対する付属体の組み付けは、付属体における外蓋以外の部分を、箱本体の開口部に対向配置された一対のフラップにより抱き込んだ状態で、当該付属体の外蓋を閉じ、且つ、外蓋に形成された差込片を箱本体に差し込むことによってなされている。
付属体は商品の取扱説明書となっている。このため、外蓋を開き、且つ、付属体における外蓋以外の部分を一対のフラップによる保持状態から開放することにより、箱本体から取扱説明書（付属体）を分離させることができる。
なお、被包装物を取り出すためには、更に、被包装物を覆う内蓋を開く必要がある。
【０００５】
特許文献３には、包装箱を構成する面材の裏面に被包装物の情報が記載されている包装箱が記載されている。特許文献３の技術では、包装箱を開封して被包装物を取り出した後で、包装箱を容易に破断することができ、その破断により包装箱の全体を展開することが可能となっている。
【先行技術文献】
【特許文献】
【０００６】
【特許文献１】特開２００７−１９１１９３号公報
【特許文献２】特開２００７−２２５５７号公報
【特許文献３】特開２０１３−６３７８３号公報
【発明の概要】
【発明が解決しようとする課題】
【０００７】
しかしながら、特許文献１の技術では、被包装物を取り出すためには、第２切断線を切断する動作と、表示片を持ち上げる動作と、第１切断線を切断する動作と、の３つの動作が必要（３アクションが必要）であるため、被包装物の取り出しに手間がかかる。
また、包装箱の開封後も表示片が包装箱に繋がった状態となるため、表示片だけを保管することが困難である。このため、開封後は箱自体が不要となり、説明書きだけを残しておきたいような商品の場合は、説明書きを嵩張る状態で保管することとなるため、不都合である。
このため、包装箱から説明書きの部分を分離できるような構造が望まれる。
【０００８】
特許文献２の技術では、箱本体に組み付けられた付属体が商品の取扱説明書となっているため、外蓋を開くことにより、説明書きの部分を箱本体から分離することが可能となる。しかし、特許文献２の技術では、取扱説明書を分離させるためには、外蓋を開く動作と、付属体における外蓋以外の部分を一対のフラップによる保持状態から開放する動作と、が必要（２アクションが必要）である。また、被包装物を取り出すためには、更に、被包装物を覆う内蓋を開く必要がある。このため、やはり、被包装物の取り出しに手間がかかる。
【０００９】
特許文献３の技術では、包装箱の裏面に記載された情報を読むためには、包装箱を開封する動作と、被包装物を取り出した後で包装箱を破断して展開する動作と、の２つの動作が必要（２アクションが必要）となるため、手間がかかる。このため、裏面の情報を読むことを使用者が面倒と感じたり、裏面の情報が読まれることなく包装箱が廃棄されてしまったりし易い。
【００１０】
本発明は、上記の課題に鑑みなされたものであり、包装箱の一部分を説明書などの情報表示が付された部分とすることができ、且つ、被包装物を取り出すための開封動作と、情報表示が付された部分の分離動作とを容易に行うことが可能な包装箱及び包装商品に関する。
【課題を解決するための手段】
【００１１】
本発明は、
被包装物を収容可能な箱体を有し、
前記箱体は、第１面と、前記第１面に対して隣接している第２面と、を有し、
前記第１面は、前記第２面との境界線をなしている第１縁辺と、前記第１縁辺の一端に繋がっている第２縁辺と、前記第１縁辺の他端に繋がっている第３縁辺と、を有し、
前記箱体は、前記第２縁辺に沿って形成されて前記第２面に達している第１分離予定部と、前記第３縁辺に沿って形成されて前記第２面に達している第２分離予定部と、前記第２面に形成されている第３分離予定部と、を含み、
前記箱体が前記第１分離予定部及び前記第２分離予定部の各々に沿って分離されることにより、前記箱体が前記第３分離予定部においても分離され、前記箱体において少なくとも前記第１分離予定部と前記第２分離予定部とに挟まれていた部位が、前記箱体における他の部分から分離して分離片となるように構成され、
前記分離片が分離した状態では前記第２面側から前記被包装物を取り出し可能に当該第２面が開放するように構成され、
前記箱体において前記分離片となる部位の内面には情報表示が付されている包装箱を提供する。
【００１２】
また、本発明は、
本発明の包装箱と、
前記箱体の内部に収容されている被包装物と、
を備える包装商品を提供する。
【発明の効果】
【００１３】
本発明によれば、包装箱の一部分を説明書などの情報表示が付された部分とすることができ、且つ、被包装物を取り出すための開封動作と、情報表示が付された部分の分離動作とを１アクションで容易に行うことが可能である。
【図面の簡単な説明】
【００１４】
【図１】第１の実施形態に係る包装箱の斜視図である。
【図２】第１の実施形態に係る包装箱の展開図である。
【図３】第１の実施形態に係る包装箱の組み立て動作を説明するための図である。
【図４】第１の実施形態に係る包装箱の底面部（第２面）の構造を示す底面図である。
【図５】第１の実施形態に係る包装箱の組み立て動作を説明するための図である。
【図６】第１の実施形態に係る包装箱の開封動作を説明するための図である。
【図７】第１の実施形態に係る包装箱を開封した後の被包装物の取り出し動作の一例を示す図であり、このうち（ａ）は斜視図、（ｂ）は平面図である。
【図８】第１の実施形態に係る包装箱の一部分を分離させることにより得られる分離片を示す図である。
【図９】被包装物の一例を示す図であり、このうち（ａ）は平面図、（ｂ）は（ａ）のＡ−Ａ線に沿った断面図、（ｃ）は斜視図である。
【図１０】被包装物の他の一例を示す図であり、このうち（ａ）は平面図、（ｂ）は（ａ）のＡ−Ａ線に沿った断面図、（ｃ）は斜視図である。
【図１１】第２の実施形態に係る包装箱の展開図である。
【図１２】第３の実施形態に係る包装箱の斜視図である。
【図１３】第４の実施形態に係る包装箱の斜視図である。
【図１４】第５の実施形態に係る包装箱の分解斜視図である。
【図１５】第６の実施形態に係る包装箱の一部分を示す斜視図であり、このうち（ａ）は底面部が塞がれた状態を示し、（ｂ）は底面部を塞ぐ前の状態を示す。
【発明を実施するための形態】
【００１５】
以下、本発明の実施形態について、図面を用いて説明する。なお、すべての図面において、同様の構成要素には同一の符号を付し、適宜に説明を省略する。
【００１６】
〔第１の実施形態〕
以下、図１乃至図１０を用いて第１の実施形態を説明する。
【００１７】
本実施形態に係る包装箱１００は、被包装物５０を収容可能な箱体１０を有する。
箱体１０は、第１面（例えば背面部１１）と、第１面に対して隣接している第２面（例えば底面部１２）と、を有する。
第１面は、第２面との境界線をなしている第１縁辺２１と、第１縁辺２１の一端に繋がっている第２縁辺２２と、第１縁辺２１の他端に繋がっている第３縁辺２３と、を有する。
箱体１０は、第２縁辺２２に沿って形成されて第２面に達している第１分離予定部３１（例えば第１ミシン目）と、第３縁辺２３に沿って形成されて第２面に達している第２分離予定部３２（例えば第２ミシン目）と、第２面に形成されている第３分離予定部３３（図４参照）と、を含む。
箱体１０が第１分離予定部３１及び第２分離予定部３２の各々に沿って分離されることにより、箱体１０が第３分離予定部３３においても分離され、箱体１０において少なくとも第１分離予定部３１と第２分離予定部３２とに挟まれていた部位が、箱体１０における他の部分から分離して分離片４０（図８）となるように、包装箱１００は構成されている。
なお、図１等では、分離片４０が分離する前の状態を示しているが、理解を容易にするため、箱体１０において分離により分離片４０となる部分（分離予定の部分）にも分離片４０と同じく符号４０を付している。
分離片４０が分離した状態では第２面側から被包装物５０を取り出し可能に当該第２面が開放するように、包装箱１００は構成されている。
箱体１０において分離片４０となる部位の内面には情報表示４５が付されている。
【００１８】
また、本実施形態に係る包装商品は、本実施形態に係る包装箱１００と、箱体１０の内部に収容されている被包装物５０と、を備える。
【００１９】
以下、詳細に説明する。
【００２０】
図１に示すように、箱体１０は、例えば、紙または紙とプラスチックフィルムなどの異材質の複合物などの素材により構成されている。或いは、箱体１０は、ＰＰ樹脂やＰＥＴ樹脂などのプラスチック素材により構成されていても良い。
【００２１】
箱体１０は、例えば、直方体形状をなしている。すなわち、箱体１０は、正面部１３と、背面部１１と、底面部１２と、右側面部１４と、左側面部１５と、天面部１６と、を有する。箱体１０は、より具体的には、扁平な直方体形状をなしており、６面のうち、正面部１３及び背面部１１が最も広くなっている。
【００２２】
背面部１１は、底面部１２との境界線をなしている第１縁辺２１と、第１縁辺２１の一端に下端が繋がっている第２縁辺２２と、第１縁辺２１の他端に下端が繋がっている第３縁辺２３と、を有する。
【００２３】
図１に示すように、例えば、背面部１１には、箱体１０を開封して被包装物５０を外部に取り出すための一対のミシン目（第１ミシン目及び第２ミシン目）が形成されている。本実施形態の場合、第１ミシン目により第１分離予定部３１が構成され、第２ミシン目により第２分離予定部３２が構成されている。
【００２４】
第１分離予定部３１を構成する第１ミシン目は、第２縁辺２２に沿って形成されており、例えば、背面部１１の上端から下端に亘って延在している。
同様に、第２分離予定部３２を構成する第２ミシン目は、第３縁辺２３に沿って形成されており、例えば、背面部１１の上端から下端に亘って延在している。
【００２５】
箱体１０は、例えば、背面部１１において第１ミシン目と第２ミシン目とに挟まれた部位を上方に延長したような開封タブ４１を有している。図６（ａ）及び図６（ｂ）に示すように、使用者が開封タブ４１を摘んで底面部１２側に引っ張ることにより、背面部１１を第１ミシン目及び第２ミシン目に沿ってそれぞれ切断（破断）することができるようになっている。
【００２６】
図６（ｃ）に示すように、第１ミシン目及び第２ミシン目をそれぞれ底面部１２に達するまで（第１縁辺２１に達するまで）切断することにより、箱体１０において少なくとも第１ミシン目と第２ミシン目とにより挟まれていた部位が、箱体１０における他の部分から分離して分離片４０（図８）となるようになっている。
それと同時に、箱体１０の開封動作も完了し、図７に示すように被包装物５０を箱体１０から容易に取り出すことが可能な状態となる。
このように、１アクションによって箱体１０を開封することができ、且つ、箱体１０を開封するための１アクションによって、箱体１０から分離した分離片４０が得られる。
【００２７】
本実施形態の場合、分離片４０は、第１ミシン目と第２ミシン目とにより挟まれていた部位の他に、底面部１２の一部分（例えば後述する第１片６１）を含む。
なお、分離片４０の少なくとも一部分は、例えば、被包装物５０が箱体１０に収容されている状態で、被包装物５０を直に覆うようになっている。
【００２８】
箱体１０において分離片４０となる部分の内面（分離片４０の裏面４０ａ）には、被包装物５０の説明書き等（商品の特徴点や注意点など）の情報表示４５が付されている。すなわち、裏面４０ａには、情報表示４５が直接印刷されていたり、あるいは、情報表示４５が印刷されたシールが貼り付けられていたりする。
【００２９】
情報表示４５は、当該情報表示４５の存在をアピールする注意表示４５ａ（例えば、「良くお読み下さい」などの文章）（図８）を含むことが好ましい。このような注意表示４５ａは、開封タブ４１の裏面又は開封タブ４１の近傍の裏面に付されていることが好ましく、このようにすることにより、開封動作の初期段階で注意表示に気づくことができるため好ましい。また、注意表示４５ａは、太文字や目立つ色で記載されていたり、枠取りが付されていることが好ましく、このようにすることにより、更にその存在に気づきやすくなる。
【００３０】
上記のように、箱体１０を開封するための１アクションによって、情報表示４５が付された分離片４０を箱体１０から分離させることができるとともに、開封動作の途中（例えば初期段階）で使用者が容易に注意表示４５ａに気付くようにできる。よって、使用者が注意表示４５ａを含む情報表示４５に気付かずに分離片４０を捨ててしまうことを抑制することができ、より確実に、情報表示４５の内容を使用者に読んでもらうことができる。
【００３１】
また、情報表示４５が付された分離片４０は、化粧台の引き出しなどに嵩張らずに保管することができ、ピンやテープなどで張り付けることもできる。さらには分離片４０の下部の第１片６１を折り曲げることにより、分離片４０を自立させて載置することも可能である。
【００３２】
情報表示４５の内容としては、例えば被包装物５０が化粧品である場合には、化粧の手順や、きれいに化粧するためのポイントや注意点などの説明書きを含むことができ、このようにすることにより、購入した商品（つまり被包装物５０）をより正しく使用し、より美しく化粧することができる。
【００３３】
また、このような説明書きは、きれいに化粧するためのポイントや注意点などをより分かりやすく説明するための説明図４５ｂ（図８、図６（ｃ））を含むことができる。より具体的には、この説明図４５ｂは、例えば、化粧料を塗布する位置や順番、塗布やマッサージなどの方向などが示されたものとすることができる。
【００３４】
一般的な化粧品の場合、包装箱の外面には、商品のロゴや名称、商品の特徴、会社名、住所、バーコードなどの表示などを表示しており、化粧の手順や、きれいに化粧するためのポイントまで外面に全て記載することは困難である。
このため、従来は折り畳んだ説明書を箱体に同封するケースが多かったが、その場合は説明書に気付かれずに当該説明書きが棄てられてしまったり、折り畳まれていることから説明書きをよく読んでもらえなかったりすることもあった。
このような事情に対し、本実施形態では、開封時に裏面の情報表示４５にいち早く気づかせることができ、さらに１アクションの開封動作で分離片４０の分離が完了するので、説明書きなどの情報表示４５をより確実に読んでもらうことができる。
【００３５】
ここで、開封の際に第１ミシン目の切断をスムーズに開始できるように、第１ミシン目における底面部１２側とは反対側の端部（以下、始端部３１ａ）は、底面部１２側に向けて徐々に第２縁辺２２に近づくように傾斜している。
同様に、第２ミシン目の切断をスムーズに開始できるように、第２ミシン目における底面部１２側とは反対側の端部（以下、始端部３２ａ）は、底面部１２側に向けて徐々に第３縁辺２３に近づくように傾斜している。
【００３６】
より具体的には、例えば、第１ミシン目の始端部３１ａが第２縁辺２２に近づく程度が、底面部１２側に向けて徐々に増している。すなわち、始端部３１ａにおける天面部１６側の端部（上端部）は、第２縁辺２２に対してほぼ平行に延びているが、始端部３１ａと第２縁辺２２とのなす角度は、底面部１２側に向けて徐々に増大している。
同様に、第２ミシン目の始端部３２ａが第３縁辺２３に近づく程度が、底面部１２側に向けて徐々に増している。すなわち、始端部３２ａにおける天面部１６側の端部（上端部）は、第３縁辺２３に対してほぼ平行に延びているが、始端部３２ａと第３縁辺２３とのなす角度は、底面部１２側に向けて徐々に増大している。
ここで、始端部３１ａにおける天面部１６側の端部の接線と、天面部１６と背面部１１との境界をなす罫線との間の角度θ１（図２）は、４５°以上９０°以下であることが開封のしやすさの点で望ましく、６０°以上９０°以下であることがより望ましい。
なお、始端部３２ａにおける天面部１６側の端部の接線と、天面部１６と背面部１１との境界をなす罫線との間の角度についても同様である。
【００３７】
一方、第１ミシン目における始端部３１ａを除く部分（直線状部３１ｂ）は、例えば、その経路が第２縁辺２２と一致しており、直線状に延在している。
同様に、第２ミシン目における始端部３２ａを除く部分は、例えば、その経路が第３縁辺２３と一致しており、直線状に延在している。
【００３８】
ここで、第１ミシン目における始端部３１ａの長さをＡ（図２）、直線状部３１ｂの長さをＢ（図２）とする。これら長さＡ及び長さＢは、第２縁辺２２に対して平行な方向における長さである。長さＡと長さＢとの比率（Ａ：Ｂ）は、図８の情報表示４５の量と開封しやすさを考慮すると、４：６から２．５：７．５の範囲とすることができ、箱体１０の大きさと情報表示４５の量に応じて適宜選択することができる。
第２ミシン目における始端部３２ａの長さと直線状部３２ｂの長さとの比率についても同様である。
【００３９】
上記のように、第１ミシン目は傾斜した始端部３１ａを有しており、第２ミシン目は傾斜した始端部３２ａを有している。このため、第１ミシン目及び第２ミシン目をそれぞれ切断して分離片４０を形成した後、背面部１１における始端部３１ａと第２縁辺２２との間の部分、並びに、背面部１１における始端部３２ａと第３縁辺２３との間の部分は、それぞれ残留部１１ａとして残留する（図７参照）。
ただし、分離片４０を分離させた状態では、底面部１２側から被包装物５０を取り出し可能に底面部１２が開放するようになっている。このため、被包装物５０が残留部１１ａに引っかかりにくく、箱体１０から容易に被包装物５０を取り出すことができる。
【００４０】
ここで、上記の情報表示４５（例えば上記の注意表示４５ａ）は、少なくとも、第１ミシン目の始端部３１ａと第２ミシン目の始端部３２ａとに挟まれた領域に付されていることが好ましい。これにより、使用者は、開封のために第１ミシン目及び第２ミシン目を切断する動作の初期段階において、分離片４０となる部分の内面に付されている情報表示４５に気づくことができる。よって、分離片４０が単なる紙切れではなく、説明書等であることを認識することができる。したがって、商品の説明や注意点などを確実に使用者に読んでもらうことができる。
【００４１】
例えば、箱体１０は、更に、正面部１３を上方に延長したような形状及び配置の延長部１８を有する。よって、箱体１０の正面側の部分（正面部１３及び延長部１８）の十分な広さの領域に、包装商品を識別するための情報表示や、包装商品の販促に繋がるような情報表示を記載することができる。
【００４２】
なお、延長部１８には、吊り下げ穴７４ｂと、吊り下げ穴７４ｂの周囲に沿って半環状に形成されたミシン目からなる破断線７４ａと、が形成されている。このため、延長部１８を破断線７４ａに沿って切断（破断）し、延長部１８において破断線７４ａに囲まれた部位を延長部１８の上方に展開することにより、吊り下げタブを形成することができる。よって、その吊り下げタブをフック等に引っ掛けることにより、包装商品を吊り下げて陳列することが可能となる。
【００４３】
また、開封タブ４１は、天面部１６の上方に突出する配置で設けられているので、包装商品が陳列された状態において、購買者が、斜め上方、上方、或いは斜め前方などの方向から包装商品を視認したときに、容易に開封タブ４１の存在に気づくことができる。よって、購買者は、開封タブ４１を引っ張ることによって包装商品を開封可能であることを容易に認識することができる。
【００４４】
包装箱１００は、図２に示すような１枚の紙材などのシート材を折り曲げて、当該シート材の各部を相互に組み付けることによって、構成されている。すなわち、本実施形態の場合、包装箱１００は、１枚のシート材からなる極めて簡易な構成とすることができる。
【００４５】
このシート材は、例えば、背面部１１、正面部１３、右側面部１４、左側面部１５及び天面部１６の他に、糊しろ１７、第１片６１、第２片６２、第３片６３、第４片６４、差込片７２、第１延長部構成片７３、第２延長部構成片７４、差込片７５、折り曲げ片７６及び折り曲げ片７７を備えて構成されている。
【００４６】
図２において、左側面部１５は正面部１３の左側に連接され、右側面部１４は正面部１３の右側に連接されている。右側面部１４の更に右側には背面部１１が連接され、背面部１１の更に右側には糊しろ１７が連接されている。
背面部１１の下側には第１片６１が連接され、正面部１３の下側には第２片６２が連接され、右側面部１４の下側には第３片６３が連接され、左側面部１５の下側には第４片６４が連接されている。
背面部１１の上側には天面部１６が連接され、天面部１６の更に上側には差込片７２が連接されている。
正面部１３の上側には第１延長部構成片７３が連接され、第１延長部構成片７３の更に上側には第２延長部構成片７４が連接され、第２延長部構成片７４の更に上側には矢印形状などのフック形状の差込片７５が連接されている。
右側面部１４の上側には折り曲げ片７６が連接され、左側面部１５の上側には折り曲げ片７７が連接されている。
【００４７】
背面部１１には、第１分離予定部３１（第１ミシン目）及び第２分離予定部３２（第２ミシン目）が形成されている。
【００４８】
例えば、正面部１３から右側面部１４に亘って窓部開口１０ａが形成されている。また、シート材の表側の面（箱体１０の外面となる面）には、例えば、全面に亘ってＰＥＴフィルム等の透明な樹脂フィルムが貼り付けられている。このため、窓部開口１０ａ内においては、この樹脂フィルムが、箱体１０の内部を視認可能とさせる窓部１０ｂを構成している。
また、差込片７２には、差込片７５が差し込まれる差込穴７２ａが形成されている。
例えば、第２延長部構成片７４には、破断線７４ａと吊り下げ穴７４ｂとが形成されている。
【００４９】
第２片６２は、差込片６２ａを有しており、差込片６２ａには、一対の突出片６２ｂが形成されている。
第１片６１は、第２差込片６１ａ及び第３差込片６１ｂを有している。
第３片６３は、突出片６３ａを有している。
第４片６４は、突出片６４ａを有している。
【００５０】
次に、包装箱１００の組み立て動作について説明する。
【００５１】
先ず、左側面部１５、正面部１３、右側面部１４、背面部１１及び糊しろ１７のうち、互いに隣接するものどうしの境界線の各々に沿ってシート材を直角に折り曲げる。そして、接着剤を用いて糊しろ１７を左側面部１５の裏側に対して貼り付ける。これにより、シート材が角筒状の形状となる（図３、図５参照）。
【００５２】
次に、図３及び図４に示すように、第１片６１、第２片６２、第３片６３及び第４片６４を、各々が連接されている背面部１１、正面部１３、右側面部１４及び左側面部１５に対して直角に折り曲げ、相互に係合させることによって、底面部１２を形成する。
より具体的には、例えば、先ず、図３において矢印８１で示されるように、第１片６１を背面部１１に対して直角に折り曲げる。
次に、図３において矢印８２で示されるように、第３片６３が第１片６１の外面に重なるように、第３片６３を右側面部１４に対して直角に折り曲げる。
次に、図３において矢印８３で示されるように、第４片６４が第１片６１の外面に重なるように、第４片６４を左側面部１５に対して直角に折り曲げる。
更に、第３片６３の突出片６３ａを第１片６１の内側に差し込んで第１片６１に対して係合させる。同様に、第４片６４の突出片６４ａを第１片６１の内側に差し込んで第１片６１に対して係合させる。
次に、図３において矢印８４で示されるように、第２片６２を正面部１３に対して直角に折り曲げる。更に、第２片６２の差込片６２ａを第１片６１の内側に差し込んで第１片６１に対して係合させる。なお、差込片６２ａは、第１片６１と、第３片６３及び第４片６４と、の間に差し込む。
こうして、図４に示すように底面部１２が構成される。
【００５３】
本実施形態の場合、第１片６１と第２片６２とが相互に係合してなる係合部によって、第３分離予定部３３が構成されている。
なお、第２差込片６１ａは、第３片６３の内側に位置していて第３片６３に対して係合している。また、第３差込片６１ｂは、第４片６４の内側に位置していて第４片６４に対して係合している。
そして、第２差込片６１ａ及び第３差込片６１ｂは、それぞれ背面部１１側から正面部１３側に向けて直線状に延びている。
【００５４】
次に、天面部１６及び延長部１８を形成する（図５参照）。
そのためには、先ず、折り曲げ片７６及び折り曲げ片７７をそれぞれ右側面部１４及び左側面部１５に対して直角に折り曲げる。
次に、図５において矢印８５で示されるように、天面部１６を背面部１１に対して直角に折り曲げるとともに、差込片７２を天面部１６に対して直角に折り曲げて、該差込片７２を折り曲げ片７６及び折り曲げ片７７と正面部１３との間に差し込む。
次に、図５において矢印８６で示されるように、第２延長部構成片７４を第１延長部構成片７３に対して１８０度折り曲げて第１延長部構成片７３の背面側に重ねた状態とするとともに、差込片７５を差込穴７２ａに差し込む。
これにより、図１に示すように、天面部１６及び延長部１８が構成されて、箱体１０を有する包装箱１００が完成する。
【００５５】
なお、箱体１０内に被包装物５０を収容させて包装商品を作製するには、上記のように底面部１２を構成した後、箱体１０内に被包装物５０を挿入し、その後、天面部１６及び延長部１８を形成する。
【００５６】
被包装物５０の形状は特に限定されないが、例えば、図９に示すような扁平な円柱形状のものや、図１０に示すような扁平な直方体形状のものが挙げられる。
【００５７】
ここで、箱体１０に被包装物５０が収容された状態において、底面部１２に対して平行な被包装物５０の断面形状のうち、最大の断面形状は、例えば、底面部１２の形状と同等である。
【００５８】
被包装物５０の種類は特に限定されないが、例えば、アイシャドウ、チーク、ファンデーション等の化粧料等を収容したコンパクトケース、レフィル、または化粧料を収容する前のコンパクトケースなどの化粧料用容器とすることができる。
【００５９】
例えば、図１０に示すような形状の被包装物５０は、箱体１０の内部にほぼ隙間無く収容されるような形状及び寸法とすることができる。
なお、底面部１２は上述した構造となっているため、箱体１０内部にほぼ隙間無く被包装物５０が収容されている場合、底面部１２を無理にこじ開けたり破ったりしなければ、底面部１２を開くことができないようになっている。つまり、底面部１２を開封して改ざん（故意に開けたり、異物の混入等を行ったりする行為）がなされた場合にはその旨が開封によるシワや切断跡等により容易に認識され得るようになっている。
同様に、天面部１６及び延長部１８は、上述した構造となっているため、天面部１６を無理にこじ開けたり破ったり、或いは、差込片７５を破ったりしなければ、天面部１６を開くことができないようになっている。つまり、天面部１６を開封して改ざんがなされた場合にもその旨が開封によるシワや切断跡等により容易に認識され得るようになっている。
【００６０】
次に、包装商品の開封動作を説明する。
【００６１】
先ず、図６（ａ）及び（ｂ）に示すように、使用者が開封タブ４１を摘んで底面部１２側に引っ張ることにより、第１分離予定部３１及び第２分離予定部３２においてそれぞれ箱体１０が破断する。その破断が底面部１２に達するまで進展することにより、分離片４０は容易に包装箱１００における分離片４０以外の部分から分離可能となる（図６（ｃ））。
【００６２】
ここで、第１片６１は、上記のように、第３片６３の内側に位置していて第３片６３に対して係合している第２差込片６１ａと、第４片６４の内側に位置していて第４片６４に対して係合している第３差込片６１ｂと、を有し、第２差込片６１ａ及び第３差込片６１ｂは、それぞれ背面部１１側から正面部１３側に向けて直線状に延びている。
よって、第１分離予定部３１及び第２分離予定部３２が底面部１２に達するまで破断した状態では、分離片４０を正面部１３側から背面部１１側へ向かう方向に移動させることにより、包装箱１００における分離片４０以外の部分から分離片４０を抵抗なく引き抜くことができる。
つまり、第１分離予定部３１及び第２分離予定部３２がそれぞれ破断する前の状態では、第３分離予定部３３において第１片６１と第２片６２とが相互に係合した状態に維持されているが、第１分離予定部３１及び第２分離予定部３２がそれぞれ破断された状態では、第１片６１と第２片６２とが容易に分離可能となる。
【００６３】
また、図７に示すように、分離片４０（図８）が分離した状態では、底面部１２側から被包装物５０を取り出し可能に底面部１２が開放する。よって、被包装物５０を底面部１２側から容易に取り出すことができる。特に、本実施形態のように残留部１１ａが残留している場合にも、被包装物５０が残留部１１ａに引っ掛かることなく、被包装物５０をスムーズに取り出すことができる。
【００６４】
開封動作により分離片４０が分離した後の状態では、分離片４０は自ずと図８に示すように短冊状に展開されている。
また、分離片４０の裏面４０ａには、被包装物５０の説明書きなどの情報表示４５が付されている。
よって、使用者は、包装箱１００の開封の際、又は、開封後直ちに、分離片４０に情報表示４５が付されていることを認識することができるので、情報表示４５を内容を良く読んだ上で、被包装物５０を使用することができる。
【００６５】
以上のような第１の実施形態によれば、箱体１０は、第２縁辺２２に沿って形成されて底面部１２に達している第１分離予定部３１と、第３縁辺２３に沿って形成されて底面部１２に達している第２分離予定部３２と、底面部１２に形成されている第３分離予定部３３と、を含む。そして、箱体１０が第１分離予定部３１及び第２分離予定部３２の各々に沿って分離されることにより、箱体１０が第３分離予定部３３においても分離され、箱体１０において少なくとも第１分離予定部３１と第２分離予定部３２とに挟まれていた部位が、箱体１０における他の部分から分離して分離片４０となるように構成されている。
また、分離片４０が分離した状態では底面部１２側から被包装物５０を取り出し可能に底面部１２が開放するように構成されている。
そして、箱体１０において分離片４０となる部位の内面には情報表示４５が付されている。
このため、箱体１０を第１分離予定部３１及び第２分離予定部３２の各々に沿って分離させる開封動作によって、分離片４０を分離させることができる。すなわち、１アクションの動作によって、包装箱１００の開封と、説明書きなどが記載された分離片４０の展開及び分離と、を行うことができる。換言すれば、開封動作が、説明書きなどが記載された分離片４０の展開及び分離のための動作を兼ねるようにすることができる。
このように、本実施形態によれば、包装箱１００の一部分を説明書などの情報表示４５が付された部分とすることができ、且つ、被包装物５０を取り出すための開封動作と、情報表示４５が付された部分（分離片４０）の分離動作とを容易に行うことができる。
そして、分離片４０に付された情報表示４５の内容を、使用者に確実に認識させることができるので、使用者が重要な情報を理解しないまま被包装物５０を使用してしまうことを抑制することができる。
また、使用者が開封動作の途中で情報表示４５に気付くようにできるため、使用者が情報表示４５に気付かずに分離片４０を廃棄してしまうことを抑制することができる。
なお、分離片４０は、例えば、短冊状の形状であるため、保管の際における分離片４０の嵩張りを抑制することができる。
【００６６】
また、本実施形態の場合、１枚のシート材からなる包装箱１００の一部分を、情報表示４５が付された分離片４０として分離することができるため、包装箱１００を、環境適正及びコスト適正に優れるものとすることができる。
【００６７】
また、包装箱１００は、１枚のシート材を上記のように折り曲げて、その各部を組み付けることにより構成されているため、ラッピング、テーピング及び糊付けを要することなく、改ざん防止できる機能を併せ持つことができる。
【００６８】
また、分離片４０は、箱体１０において第１分離予定部３１と第２分離予定部３２とに挟まれていた部位だけではなく、底面部１２の少なくとも一部分（例えば第１片６１）を含む。よって、分離片４０の面積をより広くすることができるので、分離片４０に記載される情報量を増やすことができる。
【００６９】
また、第１分離予定部３１は第１ミシン目からなり、第２分離予定部３２は第２ミシン目からなるので、箱体１０を第１分離予定部３１及び第２分離予定部３２に沿ってそれぞれ切断（破断）することによって、容易に開封及び分離片４０の分離を行うことができる。また、箱体１０を容易に作製することができる。
【００７０】
また、第１ミシン目における底面部１２側とは反対側の端部である始端部３１ａは、底面部１２側に向けて徐々に第２縁辺２２に近づくように傾斜しており、第２ミシン目における底面部１２側とは反対側の端部である始端部３２ａは、底面部１２側に向けて徐々に第３縁辺２３に近づくように傾斜している。よって、第１ミシン目及び第２ミシン目の切断をスムーズ（より少ない抵抗で）開始することができる。
【００７１】
また、第１ミシン目の始端部３１ａが第２縁辺２２に近づく程度が、底面部１２側に向けて徐々に増しており、第２ミシン目の始端部３２ａが第３縁辺２３に近づく程度が、底面部１２側に向けて徐々に増している。よって、第１ミシン目及び第２ミシン目の切断開始時の抵抗を一層抑制することができる。
【００７２】
情報表示４５は、少なくとも第１ミシン目の始端部３１ａと第２ミシン目の始端部３２ａとに挟まれた領域に付されているので、使用者は、開封のために第１ミシン目及び第２ミシン目を切断する動作の初期段階において、分離片４０となる部分の内面に付されている情報表示４５に気づくことができる。
【００７３】
また、箱体１０は、直方体形状をなし、背面部１１は底面部１２よりも大きい。
箱体１０は、背面部１１に対して対向している正面部１３と、第２縁辺２２を境界線として背面部１１に対して隣接し、且つ、背面部１１、底面部１２及び正面部１３に対してそれぞれ直交している右側面部１４と、第３縁辺２３を境界線として背面部１１に対して隣接し、背面部１１、底面部１２及び正面部１３に対してそれぞれ直交し、且つ、右側面部１４に対して対向している左側面部１５と、を有する。
底面部１２は、背面部１１に連接され且つ背面部１１に対して折り曲げられている第１片６１と、正面部１３に連接され且つ正面部１３に対して折り曲げられている第２片６２と、右側面部１４に連接され且つ右側面部１４に対して折り曲げられている第３片６３と、左側面部１５に連接され且つ左側面部１５に対して折り曲げられている第４片６４と、を相互に係合させることにより、これら第１乃至第４片６１〜６４により構成されている。
第１片６１と第２片６２とのうちの何れか一方は、何れか他方の内側に差し込まれることによって何れか他方に対して係合している差込片６２ａを有し、第１片６１と第２片６２との係合部によって第３分離予定部３３が構成されている。
つまり、第３分離予定部３３は、いわゆるインターロック機構により構成されている。よって、箱体１０を第１分離予定部３１及び第２分離予定部３２の各々に沿って分離させる開封動作により第３分離予定部３３も分離させることを、容易になし得る。
【００７４】
また、第２片６２が差込片６２ａを有し、第１片６１は、第３片６３の内側に位置していて第３片６３に対して係合している第２差込片６１ａと、第４片６４の内側に位置していて第４片６４に対して係合している第３差込片６１ｂと、を有し、第２差込片６１ａ及び第３差込片６１ｂは、それぞれ背面部１１側から正面部１３に向けて直線状に延びている。
よって、箱体１０が、第１分離予定部３１及び第２分離予定部３２に沿って、底面部１２に達するまで分離した状態では、分離片４０を正面部１３側から背面部１１側へ向かう方向へ抵抗なく移動させることができ、包装箱１００における分離片４０以外の部分から分離片４０を容易に分離させることができる。
【００７５】
〔第２の実施形態〕
図１１は第２の実施形態に係る包装箱１００の展開図である。
本実施形態に係る包装箱１００は、以下に説明する点で、上記の第１の実施形態に係る包装箱１００と相違し、その他の点では、上記の第１の実施形態に係る包装箱１００と同様に構成されている。
【００７６】
先ず、第１片６１の形状と第２片６２の形状とが入れ替わっている。すなわち、本実施形態の場合、第１片６１の形状は、上記の第１の実施形態に係る包装箱１００における第２片６２の形状となっている。すなわち、第１片６１は、上記の第１の実施形態に係る包装箱１００における第２片６２の差込片６２ａと同様の形状の差込片６１ｃを有している。ただし、差込片６１ｃには、突出片６２ｂは形成されておらず、差込片６１ｃは、底面部１２が構成された状態で背面部１１側から正面部１３側に向けて直線状に延びる形状となっている。
一方、第２片６２の形状は、上記の第１の実施形態に係る包装箱１００における第１片６１の形状となっている。すなわち、第２片６２は、上記の第１の実施形態に係る包装箱１００における第１片６１の第２差込片６１ａ及び第３差込片６１ｂと同様の形状の第２差込片６２ｃ及び第３差込片６２ｄを有している。
また、第３片６３、第４片６４がそれぞれ左右反転した形状となっている。
更に、第２延長部構成片７４は、当該第２延長部構成片７４の左右両端部よりそれぞれ図１１における上側に突出している一対の差込片７４ｃを有している。これら差込片７４ｃは、天面部１６と差込片７２との境界に沿って形成されたスリットに差し込まれるようになっている。
【００７７】
本実施形態の場合も、第１の実施形態と同様に包装箱１００を組み立てることができる。
なお、本実施形態の場合、第１片６１の差込片６１ｃが、第２片６２の内側に差し込まれることによって第２片６２に対して係合する。
上記のように、差込片６１ｃは、底面部１２が構成された状態で背面部１１側から正面部１３側に向けて直線状に延びる形状となっている。このため、上記の第１の実施形態と同様に、第１分離予定部３１及び第２分離予定部３２が底面部１２に達するまで破断した状態では、分離片４０を正面部１３側から背面部１１側へ向かう方向に移動させることにより、包装箱１００における分離片４０以外の部分から分離片４０を抵抗なく引き抜くことができる。
【００７８】
このような第２の実施形態によっても、第１の実施形態と同様の効果が得られる。
【００７９】
〔第３の実施形態〕
図１２は第３の実施形態に係る包装箱１００の斜視図である。
本実施形態に係る包装箱１００は、第１分離予定部３１の始端部３１ａ及び第２分離予定部３２の始端部３２ａが、それぞれ直線状に形成されている点で、上記の第１の実施形態に係る包装箱１００と相違し、その他の点では、上記の第１の実施形態に係る包装箱１００と同様に構成されている。
【００８０】
すなわち、本実施形態の場合、第１ミシン目の始端部３１ａが底面部１２側に向けて第２縁辺２２に近づく程度が一定であるとともに、第２ミシン目の始端部３２ａが底面部１２側に向けて第３縁辺２３に近づく程度が一定である。
【００８１】
本実施形態の場合、始端部３１ａの延在方向と、天面部１６と背面部１１との境界をなす罫線との間の角度θ２（図１２）は、開封のしやすさと情報表示４５の情報量とのバランスを考慮すると、３５°以上６０°以下であることが望ましく、４５°以上６０°以下であることがより望ましい。
なお、始端部３２ａの延在方向と、天面部１６と背面部１１との境界をなす罫線との間の角度についても同様である。
【００８２】
また、第１ミシン目における始端部３１ａの長さをＡ２（図１２）、直線状部３１ｂの長さをＢ２（図１２）とする。これら長さＡ２及び長さＢ２は、第２縁辺２２に対して平行な方向における長さである。長さＡ２と長さＢ２との比率（Ａ２：Ｂ２）は、図８の情報表示４５の量と開封しやすさを考慮すると、４：６から２．５：７．５の範囲とすることができ、箱体１０の大きさと情報表示４５の量に応じて適宜選択することができる。
第２ミシン目における始端部３２ａの長さと直線状部３２ｂの長さとの比率についても同様である。
【００８３】
本実施形態によれば、第１ミシン目の始端部３１ａが第２縁辺２２に近づく程度が底面部１２側に向けて徐々に増している点と、第２ミシン目の始端部３２ａが第３縁辺２３に近づく程度が底面部１２側に向けて徐々に増している点により得られる効果を除き、第１の実施形態と同様の効果が得られる。
【００８４】
〔第４の実施形態〕
図１３は第４の実施形態に係る包装箱１００の斜視図である。
本実施形態に係る包装箱１００は、第１分離予定部３１の始端部３１ａ及び第２分離予定部３２の始端部３２ａが、それぞれ直線状に形成されている点で、上記の第３の実施形態に係る包装箱１００と相違し、その他の点では、上記の第３の実施形態に係る包装箱１００と同様に構成されている。
【００８５】
本実施形態の場合、第１分離予定部３１及び第２分離予定部３２は、天面部１６にも延長して形成されている。すなわち、第１分離予定部３１は、天面部１６に形成された天面側延長部３１ｃを含み、第２分離予定部３２は、天面部１６に形成された天面側延長部３２ｃを含む。
天面側延長部３１ｃの一端が第１分離予定部３１を構成する第１ミシン目の始端となっており、天面側延長部３１ｃの他端は始端部３１ａの一端に繋がっている。
同様に、天面側延長部３２ｃの一端が第２分離予定部３２を構成する第２ミシン目の始端となっており、天面側延長部３２ｃの他端は始端部３２ａの一端に繋がっている。
【００８６】
更に、天面部１６において天面側延長部３１ｃの一端及び天面側延長部３２ｃの一端に隣接する部位には、穴部１６ａが形成されている。
利用者は穴部１６ａに指を差し入れて、天面側延長部３１ｃと天面側延長部３２ｃとの間を摘んで引っ張ることにより、包装箱１００を開封することができるとともに、分離片４０を形成することができる。
【００８７】
本実施形態の場合、分離片４０は、天面部１６の一部分と、背面部１１の一部分と、底面部１２の一部分と、を含むため、情報表示４５の表示領域をより広く確保することができるので、より多くの情報を分離片４０に記載することができる。
【００８８】
本実施形態によれば、その他、上記の第３の実施形態と同様の効果が得られる。
【００８９】
〔第５の実施形態〕
図１４は第５の実施形態に係る包装箱１００の分解斜視図である。
【００９０】
上記の各実施形態では、第１分離予定部３１及び第２分離予定部３２がそれぞれミシン目からなる例を説明した。
これに対し、本実施形態の場合、圧着シールにより構成されている
【００９１】
分離片４０は、包装箱１００における分離片４０以外の部分に対して予め別体に形成されている。そして、分離片４０の両側縁部に形成された帯状の接合部４２及び接合部４３が、背面部１１の両側縁部に形成された帯状の接合部１１１及び接合部１１２に対してそれぞれ圧着により接合されている。これにより、分離片４０が包装箱１００における分離片４０以外の部分に対して固定されているとともに、包装箱１００が構成され、且つ、接合部４２と接合部１１１との接合部によって第１分離予定部が構成され、接合部４３と接合部１１２との接合部によって第２分離予定部が構成されている。
【００９２】
本実施形態の場合、使用者が開封タブ４１を摘んで引っ張ることにより、第１分離予定部に沿って接合部４２を接合部１１１から剥がすとともに、第２分離予定部に沿って接合部４３を接合部１１２から剥がすことによって、包装箱１００の開封と分離片４０の分離とを行うことができる。
【００９３】
なお、接合部１１１に対して圧着シールにより接合された接合部４２は、接合部１１１から一度剥がすと、接合部１１１に対して貼り直すことができないようになっている。
同様に、接合部１１２に対して圧着シールにより接合された接合部４３は、接合部１１２から一度剥がすと、接合部１１２に対して貼り直すことができないようになっている。
すなわち、本実施形態に係る包装箱１００にも、改ざん防止機能が付与されている。
【００９４】
本実施形態の場合も、その他の構造は、上記の第１の実施形態と同様である。つまり、底面部１２の構造は第１の実施形態と同様であるため、第３分離予定部の構造は第１の実施形態と同様である。
【００９５】
なお、本実施形態の場合、図１４に示すように分離片４０を分離させた状態では、帯状の接合部１１１及び接合部１１２がそれぞれ残留部１１ａとして残留する。
【００９６】
本実施形態によっても、第１の実施形態と同様の効果が得られる。
【００９７】
〔第６の実施形態〕
図１５は第６の実施形態に係る包装箱１００の一部分を示す斜視図であり、このうち（ａ）は底面部１２が塞がれた状態を示し、（ｂ）は底面部１２を塞ぐ前の状態を示す。
本実施形態に係る包装箱１００は、以下に説明する点で、上記の第１の実施形態に係る包装箱１００と相違し、その他の点では、上記の第１の実施形態に係る包装箱１００と同様に構成されている。
【００９８】
本実施形態の場合、図１５（ｂ）に示すように、底面部１２は、正面部１３に連接されたフラップにより構成されている。底面部１２には、第３片６３及び第４片６４と背面部１１との間に差し込まれる差込片１２ａが連接されている。
【００９９】
そして、図１５（ａ）に示すように、底面部１２と背面部１１とは、例えば、それらの境界をまたいで貼り付けられたシール１２０によって相互に固定されている。ここで、シール１２０は、紙材などによって形成されており、当該シール１２０の両端を互いに逆方向に引っ張ることなどにより容易に破断できる程度の強度を有している。
【０１００】
本実施形態の場合、第１分離予定部３１及び第２分離予定部３２に沿って底面部１２に達するまで箱体１０を切断すると、その勢いでシール１２０が破断し、分離片４０が包装箱１００における分離片４０以外の部分から分離するようになっている。
【０１０１】
本実施形態によっても、第１の実施形態と同様の効果が得られる。
【０１０２】
なお、第１分離予定部及び第２分離予定部は、上記の各実施形態の例に限らず、ハーフカット溝であっても良い。
【０１０３】
また、第３分離予定部は、上記の各実施形態の例に限らず、第１片６１と第２片６２とが相互に接着固定されることにより構成された部分であっても良い。この場合、第１分離予定部及び第２分離予定部においてそれぞれ箱体１０を分離させた勢いで、第１片６１と第２片６２とが相互に分離するようになっている。
或いは、第３分離予定部は、第１分離予定部及び第２分離予定部においてそれぞれ箱体１０を分離させた勢いで破断される程度の、短い範囲に形成されたミシン目又はハーフカット溝であっても良い。
【０１０４】
また、分離片４０には、利用者が分離片４０を容易に保管できるような各種の構成が付加されていても良い。
例えば、分離片４０をフックに係止できるように、分離片４０には係止用の穴が形成されていても良い。
また、分離片４０を折り曲げることによって分離片４０が自立可能となるような折り曲げ線が分離片４０に形成されていても良い。
【０１０５】
また、分離片４０の裏面４０ａの情報表示４５は、複数の色で印刷することによって目立つようにしておき、利用者が情報表示４５に気づきやすいようにしても良い。
また、分離片４０の裏面にニス等の光沢剤を塗布することによって光沢を付与し、情報表示４５が更に目立つようにしても良い。
また、分離片４０の裏面にエンボス加工を施したり、花柄などの模様を付与することによっても、情報表示４５を目立つようにすることができる。
【０１０６】
また、開封タブ４１の位置を分かりやすくするため、箱体１０の外面には、開封タブ４１を指し示す矢印等のインジケータが印刷などにより付されていても良い。
また、開封タブ４１の部分の色を、箱体１０における開封タブ４１の周囲の部分とは異なる色とすることによっても、開封タブ４１を目立たせることができる。 
【符号の説明】
【０１０７】
１０ 箱体
１０ａ 窓部開口
１０ｂ 窓部
１１ 背面部（第１面）
１１ａ 残留部
１２ 底面部（第２面）
１２ａ 差込片
１３ 正面部（第３面）
１４ 右側面部（第４面）
１５ 左側面部（第５面）
１６ 天面部（第６面）
１６ａ 穴部
１７ 糊しろ
１８ 延長部
２１ 第１縁辺
２２ 第２縁辺
２３ 第３縁辺
３１ 第１ミシン目（第１分離予定部）
３１ａ 始端部（端部）
３１ｂ 直線状部
３１ｃ 天面側延長部
３２ 第２ミシン目（第２分離予定部）
３２ａ 始端部（端部）
３２ｂ 直線状部
３２ｃ 天面側延長部
３３ 第３分離予定部
４０ 分離片
４０ａ 裏面
４１ 開封タブ
４２ 接合部
４３ 接合部
４５ 情報表示
４５ａ 注意表示
４５ｂ 説明図
５０ 被包装物
６１ 第１片
６１ａ 第２差込片
６１ｂ 第３差込片
６１ｃ 差込片
６２ 第２片
６２ａ 差込片
６２ｂ 突出片
６２ｃ 第２差込片
６２ｄ 第３差込片
６３ 第３片
６３ａ 突出片
６４ 第４片
６４ａ 突出片
７２ 差込片
７２ａ 差込穴
７３ 第１延長部構成片
７４ 第２延長部構成片
７４ａ 破断線
７４ｂ 吊り下げ穴
７４ｃ 差込片
７５ 差込片
７６ 折り曲げ片
７７ 折り曲げ片
８１ 矢印
８２ 矢印
８３ 矢印
８４ 矢印
８５ 矢印
８６ 矢印
１００ 包装箱
１１１ 接合部
１１２ 接合部
１２０ シール
２００ 包装商品
【図１】
0006320246.tif 000002
【図２】
0006320246.tif 000003
【図３】
0006320246.tif 000004
【図４】
0006320246.tif 000005
【図５】
0006320246.tif 000006
【図６】
0006320246.tif 000007
【図７】
0006320246.tif 000008
【図８】
0006320246.tif 000009
【図９】
0006320246.tif 000010
【図１０】
0006320246.tif 000011
【図１１】
0006320246.tif 000012
【図１２】
0006320246.tif 000013
【図１３】
0006320246.tif 000014
【図１４】
0006320246.tif 000015
【図１５】
0006320246.tif 000016